(57)【要約】【課題】  機種および情報の種類によらず、携帯端末装置の内部情報を外部機器に出力し、印刷、表示等させることが可能な携帯端末装置を得る。【解決手段】  携帯端末装置が、所定の内部情報をユーザに表示するためのレイアウトを決定し、レイアウトデータを作成するレイアウトデータ作成部１４２と、レイアウトデータ作成部１４２が作成したレイアウトデータと内部情報とから、自装置が保持する画像保存形式で画像データを作成する内部形式画像データ作成部１４３と、内部形式画像データ作成部１４３が作成した画像データを、機種に依存しない保存形式の標準画像データに変換する標準画像データ作成部１４４とを備える。【選択図】        図１
2005229530.tif 000002
【特許請求の範囲】
【請求項１】
所定の内部情報をユーザに表示するためのレイアウトを決定し、レイアウトデータを作成するレイアウトデータ作成手段と、
前記レイアウトデータ作成手段が作成したレイアウトデータと前記内部情報とから、自装置が保持する画像保存形式で画像データを作成する内部形式画像作成手段と、
前記内部形式画像作成手段が作成した画像データを、機種に依存しない保存形式の標準画像データに変換する画像変換手段とを備えた携帯端末装置。
【請求項２】
画像変換手段により生成された標準画像データを、外部記録媒体に書き出す外部記録手段を備えたことを特徴とする請求項１記載の携帯端末装置。
【請求項３】
画像変換手段により生成された標準画像データを、携帯端末装置と無線または有線による通信が可能な外部機器に対して出力する信号出力手段を備えたことを特徴とする請求項１記載の携帯端末装置。
【請求項４】
画像変換手段により生成された画像データを、インターネットを介して通信可能な外部装置に送信する無線通信手段を備えたことを特徴とする請求項１記載の携帯端末装置。
【発明の詳細な説明】
【技術分野】
【０００１】
この発明は、日記帳、ＴｏＤｏリスト、スケジュール、電話帳等の内部情報から標準形式の画像データを生成する携帯端末装置に関するものである。
【背景技術】
【０００２】
従来、携帯端末装置、例えば携帯電話機が保持する日記帳、ＴｏＤｏリスト、スケジュール、電話帳等の内部情報をユーザが確認するためには、その装置の画面上に表示するか、あるいはケーブル等を介した有線通信または赤外線通信等によって通信可能な外部装置に出力し、外部装置上で表示していた。
【０００３】
データ転送手段に関する従来技術として、例えば特許文献１がある。特許文献１では、データを遠隔地に転送する場合に、送信元においてデータをある一定個数集めて擬似画像化させ、これを画像圧縮処理により高効率圧縮して受信側に送信する技術について開示している。
【０００４】
【特許文献１】特開２００１−３２０２７８号公報
【発明の開示】
【発明が解決しようとする課題】
【０００５】
従来の携帯端末装置は上記のように構成されており、内部情報を有線通信または赤外線通信等によって通信可能な外部装置に出力する場合は、特定機種間のみ、または特定情報のみに限られてしまうという課題があった。
【０００６】
また、このように出力された情報は受信した携帯端末装置の画面上で表示可能ではあるが、当該携帯端末装置の外部に出力し、印刷、表示等をさせることはできないという課題があった。
【０００７】
さらに、特許文献１はデータ転送時のデータ圧縮手段として擬似画像化する技術が開示されているものであって、受信した情報を携帯端末装置の外部に出力し、印刷、表示等をさせることを実現するものではない。
【０００８】
この発明は上記のような課題を解決するためになされたもので、機種および情報の種類によらず、携帯端末装置の内部情報を外部機器に出力し、印刷、表示等させることが可能な携帯端末装置を得ることを目的とする。
【課題を解決するための手段】
【０００９】
この発明に係る携帯端末装置は、所定の内部情報をユーザに表示するためのレイアウトを決定し、レイアウトデータを作成するレイアウトデータ作成手段と、レイアウトデータ作成手段が作成したレイアウトデータと内部情報とから、自装置が保持する画像保存形式で画像データを作成する内部形式画像作成手段と、内部形式画像作成手段が作成した画像データを、機種に依存しない保存形式の標準画像データに変換する画像変換手段とを備えたものである。
【発明の効果】
【００１０】
この発明によれば、携帯端末装置が、所定の内部情報をユーザに表示するためのレイアウトデータを作成するレイアウトデータ作成手段と、レイアウトデータ作成手段が作成したレイアウトデータと内部情報とから、自装置に対応する画像保存形式で画像データを作成する内部形式画像作成手段と、内部形式画像作成手段が作成した画像データを、機種に依存しない保存形式の標準画像データに変換する画像変換手段とを備えるように構成したので、変換した画像データを、データ転送専用のソフトウエアまたはケーブル等のハードウエアを使用することなく、また、携帯端末装置内部の全ての情報に対して、外部機器に出力し、印刷または表示させることができる効果がある。
【発明を実施するための最良の形態】
【００１１】
実施の形態１．
図１はこの発明の実施の形態１による携帯端末装置１０のブロック図である。図に示すように、携帯端末装置１０は、入出力装置１１、ＵＩ（User Interface）処理部１２、内部メモリ１３、画像データ生成処理部１４、外部出力装置制御部１５、無線通信部（無線通信手段）１６、信号出力部（信号出力手段）１７、外部記録部（外部記録手段）１８を備える。携帯端末装置１０には、メモリスティック、ＣＦ（Compact Flash）（Ｒ）カード等の記憶メディア２０が挿入されているとする。
【００１２】
この発明による携帯端末装置１０は、内部メモリ１３が保持するＴｏＤｏリスト、スケジュール、日記等の情報を、適切なレイアウトに配置し、携帯端末装置１０の機種に依存しない、一般に使用される標準的な保存形式の画像データに変換して、記憶メディアへの書き込み、外部機器への送信等を行うものである。標準的な保存形式には、例えばgif（Graphics Interchange Format）、jpeg（Joint Photographic Coding Experts Group）方式等を用いる。携帯端末装置１０としては、例えば携帯電話機、携帯用ＰＣ、ＰＤＡ（Personal Digital Assistant）等を想定している。
【００１３】
入出力装置１１は、キー、ボタン等の入力装置、またはＬＣＤ（Liquid Crystal Display）等の表示装置である。ユーザは入出力装置１１を用いて入力操作を行う。ＵＩ処理部１２は、入出力装置１１からの入力に従って携帯端末装置１０の各機能の処理をする。内部メモリ１３は、携帯端末装置１０内部の記憶領域であり、ＴｏＤｏリスト、スケジュール、日記、電話帳等の情報を格納する。画像データ生成処理部１４は内部メモリ１３内の情報から、表示可能なレイアウトで画像データを生成する（詳細は後述する）。
【００１４】
外部出力装置制御部１５は、内部メモリ１３内の画像データを外部出力するための制御処理を行うものであり、無線通信部１６、信号出力部１７、外部記録部１８を制御する。無線通信部１６は、携帯電話等の無線機器において無線通信を行うものである。例えば、携帯電話の基地局等、携帯端末装置と無線通信を行う装置２２と通信を行う。信号出力部１７は、ＵＳＢ（Universal Serial Bus）ケーブル等を介した有線通信または赤外線等のコードレスでの通信を実現する装置である。ここでは、プリンタ、パソコン等の外部機器２１とＵＳＢケーブルによって接続され、信号による通信を可能にしている。また、外部記録部１８は、記憶メディア３０の読み出し、書き込みを行う。
【００１５】
図２は図１の画像データ生成処理部１４の内部構造を示すブロック図である。図に示すように、画像データ生成処理部１４は、レイアウト決定部（レイアウトデータ作成手段）１４１、レイアウトデータ作成部（レイアウトデータ作成手段）１４２、内部形式画像データ生成部（内部形式画像作成手段）１４３、標準画像データ生成部（画像変換手段）１４４を備える。
【００１６】
次に動作について説明する。
ユーザは入出力装置１１を操作して携帯端末装置１０内部の情報を設定および使用する。ここでは、内部メモリ１３にＴｏＤｏリスト、スケジュール、日記等の内部情報が格納されており、ユーザが入出力装置１１を操作して内部メモリ１３に格納される情報を特定して画像データ化するよう指示を出したとする。
【００１７】
ＵＩ処理部１２はユーザからの指示を取得し、内部メモリ１３内の指示された情報を特定し、画像データ生成処理部１４に供給する。図３は画像データ生成処理部１４の動作を示すフローチャートである。この図を参照して画像データ生成処理部１４の動作について説明する。
レイアウト決定部１４１は、ＵＩ処理部１２からの指示に基づき、内部メモリ１３からユーザに指定された内部情報３０を取得すると、この情報を表示する為のレイアウトを決定する（ステップＳＴ１０１）。例えば、ＴｏＤｏリストの種類、組み合わせに基づいて、貼り付ける画像の配置、文字の縦書き・横書き、縁飾りの種類、配色等を決定する。続いて、レイアウトデータ作成部１４２は、レイアウト決定部１４１が決定したレイアウトに従ってレイアウトデータ３１を作成する（ステップＳＴ１０２）。レイアウトデータ３１は、配置する座標、画像のサイズ等のレイアウト情報とＴｏＤｏリスト等の内部情報とから構成される。
【００１８】
続いて、内部形式画像データ生成部１４３は、レイアウトデータ作成部１４２が作成したレイアウトデータから携帯端末装置１０が保持する内部形式の画像データ３２を作成する（ステップＳＴ１０３）。続いて、標準画像データ生成部１４４は、携帯端末装置１０の内部形式の画像データ３２を、ｇｉｆ、ｊｐｅｇ等の標準的な保存形式の画像データに変換し、標準形式画像データ３３を作成する（ステップＳＴ１０４）。
【００１９】
図４、図５は、携帯端末装置１０の内部メモリ１３に格納される情報の例を示す図である。図４は日記情報、図５はＴｏＤｏリストの情報を示す。日記情報は、写真等のイメージデータ、装飾用のシール、日記の文章から構成されている。また、ＴｏＤｏリストの情報は、処理済／未処理状態、登録日付、期限、内容から構成されている。日記情報は、例えば当社開発の携帯電話（機種名Ｄ５０５ｉ）では、「イメージ」、「シール」、「文章」がこの順に縦に配置されており、ユーザはスクロールして全体を見ることができる。
【００２０】
また、図６、図７は日記情報とＴｏＤｏリスト情報とを組み合わせて生成された画像データの具体例を示す図である。これらはＬ版等の写真サイズへの印刷を想定したレイアウトであり、図６は横書き、図７は縦書きのレイアウトを示す。
【００２１】
図８〜図１０は携帯端末装置１０内部のデータと処理の流れについて説明する図である。図８は、ユーザが画像データを記憶メディア２０に書き込むことを指示した場合を示す。携帯端末装置１０の内部メモリ１３には、ＴｏＤｏリスト、スケジュール、日記、電話帳、料金状況、および各種設定情報等が保持されている。これらの情報から、画像データ生成処理部１４によって上述の手順でそれぞれの情報に適したレイアウトで画像データが生成される。
【００２２】
画像データ生成処理部１４は、生成した画像データを内部メモリ１３に格納する。この画像データを外部出力装置制御部１５が読み出し、外部記録部１８に供給する。外部記録部１８は取得した画像データを記憶メディア２０に書き込む。記憶メディア２０に書き出された画像データは、一般に普及しているデジタルカメラ等の記憶メディアを対象とする写真プリント機またはプリンタで印刷することが可能である。
【００２３】
図９は、ユーザが画像データをプリンタ、パソコン等の外部機器へ出力することを指示した場合を示す。外部出力装置制御部１５は内部メモリ１３から読み出した画像データを信号出力部１７に供給する。信号出力部１７は取得した画像データをＵＳＢケーブルまたは光、電波等による通信によって外部機器２１に出力し、表示または印刷させる。
【００２４】
ＵＳＢ等のケーブルや光、電波等の無線通信により信号出力された画像データは、一般に普及しているデジタルカメラ等の信号出力を対象にした写真プリント機またはプリンタで印刷することが可能である。
【００２５】
さらに、図１０は、ユーザがインターネット等のメール網によって他の携帯端末装置に画像データを送信するように指示した場合を示す。外部出力装置制御部１５は内部メモリ１３から読み出した画像データを無線通信部１６に供給する。無線通信部１６は取得した画像データをメール等に添付して、インターネット等のメール網を介して指定の宛先に画像データを送信する。携帯端末装置が携帯電話機であるときは、これは一般に「画像付きメール」と呼ばれるメール機能である。画像データを生成した携帯電話機または受信した携帯電話機は、画像データを待ち受け画像や新たな画像メールに使用する等、内部に保有する他の画像データと同様の扱いができるため、情報の活用範囲が広がる。
【００２６】
以上のようにこの実施の形態１によれば、携帯端末装置１０の画像データ生成処理部１４が、内部メモリ１３に格納される内部情報を、ｇｉｆ、ｊｐｅｇ方式等の標準的な保存形式の画像データに変換し、外部機器２１に信号出力または外部記憶メディア２０に書き込みを行うようにしたので、従来は携帯端末装置１０上で表示することしかできなかった情報を、機種および情報の種類によらず、外部機器上で表示または印刷することが可能となる効果が得られる。
【００２７】
また、携帯端末装置１０が携帯電話機である場合は、所持している記憶メディアへの書き出し機能、および電子メールへの添付機能等を使用することによって画像データの転送ができるため、データ転送専用のソフトウエアまたはケーブル等のハードウエアを使用する必要がないという効果が得られる。さらに、携帯電話機は画像データを画像メール、待ち受け画面等に使用することが可能となるため、情報の活用範囲が広がるという効果が得られる。
【図面の簡単な説明】
【００２８】
【図１】この発明の実施の形態１による携帯端末装置のブロック図である。
【図２】同実施の形態１に係る画像データ生成処理部のブロック図である。
【図３】同実施の形態１に係る画像データ生成処理部の動作を示すフローチャートである。
【図４】この発明の実施の形態１による携帯端末装置の内部メモリに格納される情報の例を示す図である。
【図５】この発明の実施の形態１による携帯端末装置の内部メモリに格納される情報の例を示す図である。
【図６】日記情報とＴｏＤｏリスト情報とを組み合わせて生成された画像データの具体例を示す図である。
【図７】日記情報とＴｏＤｏリスト情報とを組み合わせて生成された画像データの具体例を示す図である。
【図８】この発明の実施の形態１による携帯端末装置内部のデータと処理の流れについて説明する図である。
【図９】この発明の実施の形態１による携帯端末装置内部のデータと処理の流れについて説明する図である。
【図１０】この発明の実施の形態１による携帯端末装置内部のデータと処理の流れについて説明する図である。
【符号の説明】
【００２９】
１０  携帯端末装置、１１  入出力装置、１２  ＵＩ処理部、１３  内部メモリ、１４  画像データ生成処理部、１５  外部出力装置制御部、１６  無線通信部、１７  信号出力部、１８  外部記録部、２０  記憶メディア、２１  外部機器、２２  無線機器、１４１  レイアウト決定部、１４２  レイアウトデータ作成部、１４３  内部形式画像データ作成部、１４４  標準画像データ作成部。
【図１】
2005229530.tif 000003
【図２】
2005229530.tif 000004
【図３】
2005229530.tif 000005
【図４】
2005229530.tif 000006
【図５】
2005229530.tif 000007
【図６】
2005229530.tif 000008
【図７】
2005229530.tif 000009
【図８】
2005229530.tif 000010
【図９】
2005229530.tif 000011
【図１０】
2005229530.tif 000012